(57)【要約】【課題】少ない圧力損失で、エアフィルターの清掃が自動でできる空気調和機を提供する。【解決手段】熱交換器（図示せず）の上流側に配されたフィルター装置は、フィルター巻取駆動モーター（図示せず）で駆動される少なくとも１対の巻取り軸（図示せず）と、巻取り軸間に張設され、熱交換器に流入する空気に含まれる塵埃を捕捉するエアフィルター（図示せず）と、エアフィルターの風上側に配され、水平方向に長手方向を持ちエアフィルターに付着した塵埃を吸込む吸入ノズル３と、吸入ノズル３に連通し塵埃を吸引し排出する吸引排気装置（図示せず）とを有し、吸入ノズル３は、その長手方向両端部に設けられ、フィルム駆動モーター６で駆動される巻取り軸３ｆと、巻取り軸３ｆ間に張設され、エアフィルターの塵埃を掻き取る埃掻き取りパット３ｂと、埃掻き取りパット３ｂで掻き取った塵埃を吸込む吸入口３ａを有するフィルム３ｃとを具備した。【選択図】図４
2008194574.tif 000002
【特許請求の範囲】
【請求項１】
熱交換器と、前記熱交換器の上流側に配されたフィルター装置を備え、前記フィルター装置は、少なくとも１対の巻取り軸と、前記巻取り軸間に張設され、前記熱交換器に流入する空気に含まれる塵埃を捕捉するエアフィルターと、前記巻取り軸を駆動するフィルター巻取駆動モーターと、前記エアフィルターの風上側に配され、水平方向に長手方向を持ち前記エアフィルターに付着した塵埃を吸込む吸入ノズルと、前記吸入ノズルに連通し塵埃を吸引し排出する吸引排気装置とを有し、前記吸入ノズルは、その長手方向両端部に設けられ、フィルム駆動モーターで駆動される巻取り軸と、前記巻取り軸間に張設されたフィルムとを備え、前記フィルムは、前記エアフィルターの塵埃を掻き取る埃掻き取りパットと、前記埃掻き取りパットで掻き取った塵埃を吸込む吸入口とを具備したことを特徴とする空気調和機。
【請求項２】
吸入ノズルは、外側ケースと内側ケースとからなり、前記外側ケースと前記内側ケースとの間にフィルムを配設したことを特徴とする請求項１に記載の空気調和機。
【請求項３】
内側ケースの吸引排気風が通気する内面形状を流線型としたことを特徴とする請求項２に記載の空気調和機。
【請求項４】
吸入ノズルの長手方向の長さを、エアフィルターの横幅より長く設定したことを特徴とする請求項１〜３のいずれか１項に記載の空気調和機。
【請求項５】
吸入ノズルは、フィルター装置に設けた位置決め穴と前記吸入ノズルに設けた位置決めボスとを嵌め合わせることにより位置決めされ、さらにネジにより前記フィルター装置に着脱可能に締結されることを特徴とする請求項１〜４のいずれか１項に記載の空気調和機。
【発明の詳細な説明】
【技術分野】
【０００１】
本発明は、エアフィルターの清掃を自動的に行うようにした空気調和機に関するものである。
【背景技術】
【０００２】
従来の一般的な空気調和機においては、熱交換器の前面に、空気調和機の本体内部へ埃が侵入するのを防ぐためのエアフィルターが設けられており、このエアフィルターは、付着した塵埃を手で清掃できるように着脱自在に構成されている。このような空気調和機のエアフィルターは、頻繁なメンテナンスが必要となるだけでなく、メンテナンスが行われるまでの間には、エアフィルターが除々に目詰まりしていき、その結果、熱交換器を通過する風量が低下し、空調能力が低下して消費電力の増大につながることとなる。
【０００３】
そこで、このようなエアフィルターのメンテナンスの手間を低減する目的で、エアフィルターの表面に沿って左右に移動可能で、エアフィルターに付着した塵埃を吸入する吸入ノズルを設けて、自動的にエアフィルターを清掃することができる空気調和機が提案されている（例えば、特許文献１参照）。
【０００４】
図５は、上記特許文献１に記載された従来の空気調和機に搭載されたフィルター装置の斜視図である。
【０００５】
図５において、従来の空気調和機のフィルター装置２１は、空気調和機本体（図示せず）に流入する空気中に含まれる塵埃を捕捉すると共に略Ｌ字状に湾曲したエアフィルター２５と、エアフィルター２５を支持するフィルター枠２２と、エアフィルター２５の上流側表面に沿って左右に移動可能で、しかもエアフィルター２５の断面形状に合わせて略Ｌ字状の吸入ノズル２４と、ワイヤー２８を介して吸入ノズル２４を左右に移動させるためのモーター２９と、吸い込みダクト２３を介して吸入ノズル２４に連通接続された吸引排気装置２６と、一端が吸引排気装置２６の排気側に接続され、他端が室外に開放した排気ダクト２７から構成されている。
【０００６】
吸入ノズル２４のエアフィルター２５に対向する側には、エアフィルター２５に摺接する吸入口（図示せず）が設けられている。
【０００７】
以上のように構成された従来の空気調和機の動作は、以下の通りである。
【０００８】
予め、吸入ノズル２４を左右いずれか一方の端部に寄せておき、定期的に、吸引排気装置２６及びモーター２９を駆動することにより、吸入口よりエアフィルター２５に付着した塵埃が吸引され、その塵埃は、吸い込みダクト２３を経て吸引排気装置２６に至り、排気ダクト２７を通して室外に排出されるとともに、吸入ノズル２４が他端側に移動することによりエアフィルター２５の全面を自動的に清掃することができる。
【特許文献１】特開２００４−２８３７０４号公報
【発明の開示】
【発明が解決しようとする課題】
【０００９】
しかしながら、上記特許文献１に開示された従来の空気調和機においては、エアフィルター２５の前面に、Ｌ型の吸入ノズル２４を左右に移動させるようになっているため、構造が複雑になると共に、吸入ノズル２４の寸法が長いために、吸入口から塵埃を吸引し排出する吸引排気装置２６までの距離が長く、且つ曲折したものとなり、圧力損失が大きく
吸入風量の低下やコストの増大、また、動作音が大きくなるという課題があった。さらに、エアフィルター２５の湾曲部での塵埃を確実に吸入できないという課題があった。
【００１０】
本発明は、上記従来の課題を解決し、空気調和機の基本性能を損なうこと無く、簡素な構成で、且つ少ない吸い込み風量で、エアフィルターに付着した塵埃の自動清掃ができる空気調和機を提供することを目的とする。
【課題を解決するための手段】
【００１１】
前記従来の課題を解決するために、本発明の空気調和機は、熱交換器と、前記熱交換器の上流側に配されたフィルター装置を備え、前記フィルター装置は、少なくとも１対の巻取り軸と、前記巻取り軸間に張設され、前記熱交換器に流入する空気に含まれる塵埃を捕捉するエアフィルターと、前記巻取り軸を駆動するフィルター巻取駆動モーターと、前記エアフィルターの風上側に配され、水平方向に長手方向を持ち前記エアフィルターに付着した塵埃を吸込む吸入ノズルと、前記吸入ノズルに連通し塵埃を吸引し排出する吸引排気装置とを有し、前記吸入ノズルは、その長手方向両端部に設けられ、フィルム駆動モーターで駆動される巻取り軸と、前記巻取り軸間に張設されたフィルムとを備え、前記フィルムは、前記エアフィルターの塵埃を掻き取る埃掻き取りパットと、前記埃掻き取りパットで掻き取った塵埃を吸込む吸入口とを具備したもので、簡素な構成で、空気調和機の基本性能を損なうことなく、圧力損失を少なく抑えて、少ない吸い込み風量で、しかも動作音も抑えながら、エアフィルターに付着した塵埃の自動清掃を確実に行うことができる。
【発明の効果】
【００１２】
本発明の空気調和機は、空気調和機の基本性能を損なうこと無く、簡素な構成で、且つ少ない吸い込み風量で、エアフィルターに付着した塵埃を自動清掃することができる。
【発明を実施するための最良の形態】
【００１３】
第１の発明は、熱交換器と、前記熱交換器の上流側に配されたフィルター装置を備え、前記フィルター装置は、少なくとも１対の巻取り軸と、前記巻取り軸間に張設され、前記熱交換器に流入する空気に含まれる塵埃を捕捉するエアフィルターと、前記巻取り軸を駆動するフィルター巻取駆動モーターと、前記エアフィルターの風上側に配され、水平方向に長手方向を持ち前記エアフィルターに付着した塵埃を吸込む吸入ノズルと、前記吸入ノズルに連通し塵埃を吸引し排出する吸引排気装置とを有し、前記吸入ノズルは、その長手方向両端部に設けられ、フィルム駆動モーターで駆動される巻取り軸と、前記巻取り軸間に張設されたフィルムとを備え、前記フィルムは、前記エアフィルターの塵埃を掻き取る埃掻き取りパットと、前記埃掻き取りパットで掻き取った塵埃を吸込む吸入口とを具備したもので、簡素な構成で、空気調和機の基本性能を損なうことなく、圧力損失を少なく抑えて、少ない吸い込み風量で、しかも動作音も抑えながら、エアフィルターに付着した塵埃の自動清掃を確実に行うことができる。
【００１４】
第２の発明は、特に、第１の発明の吸入ノズルは、外側ケースと内側ケースとからなり、前記外側ケースと前記内側ケースとの間にフィルムを配設したもので、吸引力を均一に保ち、確実にフィルターに付着した塵埃を吸込むことが可能となり、フィルターの自動清掃をより確実に行うことができる。
【００１５】
第３の発明は、特に、第２の発明の内側ケースの吸引排気風が通気する内面形状を流線型としたもので、吸入ノズルの内側ケース内に塵埃が堆積しにくく、また、吸引抵抗も少なく抑えながら、確実に塵埃を吸引することができる。
【００１６】
第４の発明は、特に、第１〜３のいずれか一つの発明の吸入ノズルの長手方向の長さを、エアフィルターの横幅より長く設定したもので、エアフィルターの横幅全面を吸入口が
移動可能となり、それにより、エアフィルター全面の清掃が実現できる。
【００１７】
第５の発明は、特に、第１〜４のいずれか一つの発明の吸入ノズルは、フィルター装置に設けた位置決め穴と前記吸入ノズルに設けた位置決めボスとを嵌め合わせることにより位置決めされ、さらにネジにより前記フィルター装置に着脱可能に締結されるもので、前記吸入ノズルの取り外しが容易になり、吸入ノズルのメンテナンスが容易に出来るという効果を奏する。
【００１８】
以下、本発明の実施の形態について、図面を参照しながら説明する。なお、この実施の形態によって本発明が限定されるものではない。
【００１９】
（実施の形態１）
図１は、本発明の実施の形態１における空気調和機の正面図、図２は、図１のＡ−Ａ線断面図、図３は、同空気調和機のフィルター装置の斜視図、図４は、同フィルター装置の吸入ノズルの分解図である。
【００２０】
図１〜図４において、本実施の形態における空気調和機の空気調和機本体１３（以下「本体１３」という）の内部には、熱交換器１１と送風機１２が配設されており、送風機１２を運転すると、本体１３の前面から上面に渡り形成された複数の吸込口（図示せず）から室内の空気が吸込まれ、その空気中に含まれた塵埃は、前記吸込口と熱交換器１１との間に設けたフィルター装置１で取り除かれる。
【００２１】
このフィルター装置１は、フィルター枠２と、帯状のエアフィルター４と、前記エアフィルター４の風上側に配され、水平方向に長手方向を持ち、前記エアフィルター４に付着した塵埃を吸い込む吸入ノズル３と、吸入ノズル３の端部に連通接続され、前記吸入ノズル３で吸込まれた塵埃を吸込み排出する吸引排気装置５を具備している。
【００２２】
前記吸入ノズル３には、外側ケース３ｄと、前記外側ケース３ｄの内側に内側ケース３ｅを内蔵し、その間には、吸入ノズル３の長手方向に巻き回されたフィルム３ｃを内蔵し、フィルム３ｃには、フィルム３ｃの駆動方向と略直角をなす方向に長辺を有する長方形の形状を有する吸入口３ａと、吸入口３ａに隣接して設けられフィルム３ｃの駆動方向と略直角をなす方向に長辺を有する長方形の形状を有する埃掻き取りパット３ｂを設け、前記吸入ノズル３の長手方向両端部には、フィルム３ｃを巻き取る巻取り軸３ｆを設け、巻取り軸３ｆを回転駆動するフィルム駆動モーター６を配設し、フィルム３ｃを左右方向に移動可能にしたものである。
【００２３】
吸入ノズル３は、フィルター装置１に設けた位置決め穴９と、吸入ノズル３に設けた位置決めボス３ｇとを嵌め合わせることにより位置決めされ、さらにネジ１０により、前記フィルター装置１に着脱可能に締結される。また、フィルター枠２の両端には、エアフィルター４を巻き取る巻取り軸８と、巻取り軸８を回転駆動するフィルター巻取り駆動モーター７を配設している。
【００２４】
以上のように構成された空気調和機のフィルター装置１の動作について説明する。
【００２５】
空気調和機の運転停止後に、吸引排気装置５が運転開始し、エアフィルター４の片側端（図２では、右端）に位置していた吸入口３ａ及び埃掻き取りパット３ｂが、フィルム駆動モーター６によって、図４に示すように、Ａの矢印方向に移動し、エアフィルター４の前面表面に付着した塵埃を、埃掻き取りパット３ｂで掻き取りながら吸入口３ａから吸取り、吸取られた塵埃は、吸引排気装置５に吸入される。そして、吸入口３ａが、対向する片側端まで移動したときに、フィルム駆動モーター６を逆回転させれば、吸入口３ａ、埃
掻き取りパット３ｂが初期の位置に戻る。
【００２６】
ここで、フィルター巻取駆動モーター７が駆動して、巻取り軸８により、エアフィルター４を巻き回し、塵埃の付着した部分を吸入口３ａに位置させ再びフィルム駆動モーター６により吸入口３ａ及び埃掻き取りパット３ｂが、再び図４に示すようにＡの矢印方向に移動する。再び、吸入口３ａが、対向する片側端まで移動したときにフィルム駆動モーター６を逆回転させることにより、吸入口３ａと埃掻き取りパット３ｂが初期の位置に戻る。以上の動作を繰り返すことにより、エアフィルター４の全面を自動で清掃することが可能となる。
【００２７】
ここで、図２に示すように、吸入ノズル３を送風機１２の回転中心Ｃより下側、すなわち空気の流速が比較的小さい位置に配置することにより、熱交換器１１を通過する空気の通気抵抗を少なく抑えられ、空気調和機の基本性能を損なうことなくエアフィルター４の自動清掃を実現できる。
【００２８】
なお、特に図示しないが、吸入ノズル３の内側ケース３ｅの吸引排気風が通気する内面形状を流線型にすれば、内側ケース３ｅ内に塵埃が堆積しにくく、また、吸引抵抗も少なくなり、確実に塵埃を吸引することができる。
【００２９】
また、吸入ノズル３の長手方向の長さを、エアフィルター４の横幅より長く設定すれば、エアフィルター４の横幅全面を吸入口３ａが移動可能となり、それにより、エアフィルター４の全面を確実に清掃することが出来る。
【産業上の利用可能性】
【００３０】
以上のように、本発明にかかる空気調和機は、簡素な構成でかつ少ない吸込み風量により、エアフィルターに付着した塵埃を自動で清掃することが可能となるので、空気清浄機など塵埃を集塵するエアフィルターを装着した各種機器等の用途にも適用できる。
【図面の簡単な説明】
【００３１】
【図１】本発明の実施の形態１における空気調和機の正面図
【図２】図１のＡ−Ａ線断面図
【図３】同空気調和機のフィルター装置の斜視図
【図４】同フィルター装置の吸入ノズルの分解図
【図５】従来の空気調和機のフィルター装置の斜視図
【符号の説明】
【００３２】
１  フィルター装置
２  フィルター枠
３  吸入ノズル
３ａ  吸入口
３ｂ  埃掻き取りパット
３ｆ、８  巻取り軸
４  エアフィルター
５  吸引排気装置
６  フィルム駆動モーター
７  フィルター巻取り駆動モーター
８  巻取り軸
９  位置決め穴
１０  ネジ
【図１】
2008194574.tif 000003
【図２】
2008194574.tif 000004
【図３】
2008194574.tif 000005
【図４】
2008194574.tif 000006
【図５】
2008194574.tif 000007